(57)【特許請求の範囲】
【請求項１】
遊技玉を遊技盤に向けて発射し、該遊技盤における遊技玉の入賞に応じて所定数の遊技玉を払い出すパチンコ遊技機において、
遊技に用いる遊技玉の価値を切り換える玉価値切り換え手段と、
価値が異なる複数種類の遊技玉を選択的に払い出し可能な玉払い出し手段であって、前記玉価値の切り換えに応じて、払い出す遊技玉の種類を切り換えるものと、
前記玉払い出し手段が払い出した遊技玉を貯溜し、該遊技玉を発射装置に供給する受け皿と、
前記受け皿からオーバーフローした遊技玉を貯留する下皿と、
前記玉価値切り換え手段によって前記玉価値が切り換えられると、前記受け皿上の残り玉を一括して受け入れて保留する残り玉保留部と、
前記残り玉保留部に保留されている残り玉を前記発射装置に供給する残り玉供給経路と、
該残り玉供給経路を開閉する供給経路開閉機構とを有していることを特徴とするパチンコ遊技機。
【請求項２】
前記受け皿の遊技玉を全て使い終わり、前記玉価値切り替え手段によって前記玉価値が切り換えられると、前記供給経路開閉機構が開くことを特徴とする請求項１に記載のパチンコ遊技機。
【請求項３】
前記残り玉保留部は、前記受け皿の下方に重合状に形成されることを特徴とする請求項１または２に記載のパチンコ遊技機。
【請求項４】
前記受け皿と前記残り玉保留部とを仕切る仕切り部が透明もしくは半透明であることを特徴とする請求項３に記載のパチンコ遊技機。
【請求項５】
前記受け皿から前記残り玉保留部に至る残り玉保留経路と、
該残り玉保留経路を開閉する保留経路開閉手段とを更に備えることを特徴とする請求項１〜４の何れかに記載のパチンコ遊技機。
【請求項６】
前記保留経路開閉手段は、前記受け皿と前記残り玉保留部とを仕切る仕切り部材であり、該仕切り部材の回動に応じて前記残り玉保留経路が開閉されることを特徴とする請求項５に記載のパチンコ遊技機。
【請求項７】
前記残り玉保留部に保留される残り玉を前記下皿に排出するための残り玉排出経路と、
該残り玉排出経路を開閉する排出経路開閉手段とを更に備えることを特徴とする請求項１ないし６の何れかに記載のパチンコ遊技機。
【発明の詳細な説明】
【０００１】
【発明の属する技術分野】
本発明は、所定の単価で貸し出され、且つ、所定のレートで景品交換可能な遊技玉を用いて遊技を行うパチンコ遊技機に関する。
【０００２】
【従来の技術】
パチンコ遊技場においては、所定の単価で貸し出される遊技玉を用いて遊技を行い、該遊技で獲得した遊技玉が所定の景品交換レートで景品に交換される。一般に、パチンコ遊技場内における遊技玉の価値（貸し出し単価または景品交換レート）は単一であり、その遊技場で設定される玉価値に応じて出玉率等が調節される。従って、ハイリターンを望む遊技客は、出玉率が低くても玉価値が高いパチンコ遊技場を選択し、また、ローリスクで長時間の遊技を望む遊技客は、玉価値が低くても出玉率が高いパチンコ遊技場を選択する傾向がある。
【０００３】
近年、玉価値による客層の偏りを解消するために、パチンコ遊技場内における遊技玉の価値を多様化することが提案されている。このようなパチンコ遊技場では、フロア単位、パチンコ島単位、或いはパチンコ機種単位で玉価値を設定すると共に、玉価値毎に専用の玉計数装置を設置しており、遊技で獲得した遊技玉は、その玉価値に対応する玉計数装置で計数される。
【０００４】
【発明が解決しようとする課題】
しかしながら、上記従来のパチンコ遊技場では、同一のパチンコ機種において玉価値に多様性がないため、特定のパチンコ機種を好む遊技客は、玉価値を任意に選択することができず、また、同一の遊技客が異なる玉価値で遊技をしようとした場合、場所を移動する必要がある。
【０００５】
そこで、パチンコ遊技機単位で玉価値の切り換えを可能にすると共に、玉価値の切り換えに応じて、払い出す遊技玉の種類を切り換えることが提案されるが、このものでは、受け皿上に遊技玉が残っている状態で玉価値の切り換えが行われると、異なる価値の遊技玉が混ざり、遊技に支障を来す可能性がある。
【０００６】
本発明の目的は、パチンコ遊技機単位で玉価値の切り換えを可能にすると共に、玉価値の切り換えに応じて、払い出す遊技玉の種類を切り換えるものでありながら、玉価値の切り換えに際し、異なる価値の遊技玉が混ざることを防止できる許りでなく、残り玉を保持したまま遊技を継続することができるパチンコ遊技機を提供することにある。
【０００７】
【課題を解決するための手段】
上記目的を達成するため本発明のパチンコ遊技機は、遊技玉を遊技盤に向けて発射し、該遊技盤における遊技玉の入賞に応じて所定数の遊技玉を払い出すパチンコ遊技機において、
遊技に用いる遊技玉の価値を切り換える玉価値切り換え手段と、
価値が異なる複数種類の遊技玉を選択的に払い出し可能な玉払い出し手段であって、前記玉価値の切り換えに応じて、払い出す遊技玉の種類を切り換えるものと、
前記玉払い出し手段が払い出した遊技玉を貯溜し、該遊技玉を発射装置に供給する受け皿と、
前記受け皿からオーバーフローした遊技玉を貯留する下皿と、
前記玉価値切り換え手段によって前記玉価値が切り換えられると、前記受け皿上の残り玉を一括して受け入れて保留する残り玉保留部と、
前記残り玉保留部に保留されている残り玉を前記発射装置に供給する残り玉供給経路と、
該残り玉供給経路を開閉する供給経路開閉機構とを有していることを特徴としている。ここで、前記受け皿の遊技玉を全て使い終わり、前記玉価値切り替え手段によって前記玉価値が切り換えられると、前記供給経路開閉機構が開くようにすることができる。
【０００８】
また、前記残り玉保留部は、前記受け皿の下方に重合状に形成されることが好ましい。この場合においては、受け皿から残り玉保留部に至る残り玉保留経路を短くして構造の簡略化を図れる許りでなく、配置効率を高めてパチンコ遊技機の大型化を回避することができる。
【０００９】
また、前記受け皿と前記残り玉保留部とを仕切る仕切り部が透明もしくは半透明であることが好ましい。この場合においては、残り玉保留部を受け皿の下方に重合状に形成しても、残り玉保留部における残り玉の有無を容易に確認することができる。
【００１０】
また、前記受け皿から前記残り玉保留部に至る残り玉保留経路と、該残り玉保留経路を開閉する保留経路開閉手段とを更に備えることが好ましい。この場合においては、保留経路開閉手段を操作するだけで、受け皿上の残り玉を残り玉保留部に保留することができる。
【００１１】
また、前記保留経路開閉手段は、前記受け皿と前記残り玉保留部とを仕切る仕切り部材であり、該仕切り部材の回動に応じて前記残り玉保留経路が開閉されることが好ましい。この場合においては、仕切り部材を利用して残り玉保留経路を開閉することにより、部品点数の削減および構造の簡略化を図ることができる。
【００１２】
また、前記残り玉保留部に保留される残り玉を排出する残り玉排出経路と、該残り玉排出経路を開閉する排出経路開閉手段とを更に備えることが好ましい。この場合においては、排出経路開閉手段を操作するだけで、残り玉保留部の残り玉を排出することができる。
【００１４】
【発明の実施の形態】
以下、図示した一実施形態に基いて本発明を詳細に説明する。図１は、パチンコ遊技場の部分平面図、図２は、パチンコ島の部分正面図である。これらの図に示されるように、パチンコ遊技場１０には、複数のパチンコ島１１が構成され、その近傍にプリペイドカード販売機１２や玉計数装置１３が設置される。パチンコ島１１は、複数のパチンコ遊技機１４を備えて構成されており、各パチンコ遊技機１４の一側部には、プリペイドカードユニット１５が並設される。遊技客は、プリペイドカード販売機１２でプリペイドカードを購入した後、遊技するパチンコ遊技機１４のプリペイドカードユニット１５にプリペイドカードを挿入する。その後、パチンコ遊技機１４において貸し出し操作を行うと、所定個数の遊技玉Ｂがパチンコ遊技機１４から貸し出され、遊技が可能になる。このときの貸し出し単価が第１の玉価値であり、支払金額に対する遊技玉Ｂの貸し出し個数設定に応じて第１の玉価値が調節される。尚、遊技玉Ｂの貸し出し方式としては、上記に示したプリペイドカード方式の他に現金方式がある。現金方式には、台間玉貸機から遊技玉Ｂを貸し出す方式と、上記プリペイドカード方式と同様にパチンコ遊技機１４から遊技玉Ｂを貸し出す方式があるが、何れの方式を採用しても本発明の実施が可能である。
【００１５】
遊技客は、貸し出された遊技玉Ｂを用い、パチンコ遊技機１４で遊技を行う。遊技において獲得した遊技玉Ｂを景品に交換する場合は、獲得した遊技玉Ｂを遊技客または店員が玉計数装置１３まで運び、ここで計数される。遊技客は、玉計数装置１３から出力されるレシートを景品交換カウンタに提出し、景品に交換する。このときの景品交換レートが第２の玉価値であり、例えば景品交換用ＰＯＳ端末におけるレート設定に応じて第２の玉価値が調節される。
【００１６】
上記のパチンコ遊技場１０では、複数種類の遊技玉Ｂが使用される。各種類の遊技玉Ｂには、異なる玉価値が設定されており、その設定パターンとしては、以下に示す３つのパターンがある。
（１）複数種類の遊技玉Ｂに異なる貸し出し単価を設定する。
例えば、遊技玉Ｂ１の貸し出し単価を４円、遊技玉Ｂ２の貸し出し単価を２円とし、景品交換レートは何れも２円とする。
（２）複数種類の遊技玉Ｂに異なる景品交換レートを設定する。
例えば、遊技玉Ｂ１、遊技玉Ｂ２の貸し出し単価を何れも４円とし、遊技玉Ｂ１の景品交換レートを４円、遊技玉Ｂ２の景品交換レートを２円とする。
（３）複数種類の遊技玉Ｂに異なる貸し出し単価および景品交換レートを設定する。
例えば、遊技玉Ｂ１の貸し出し単価を４円、遊技玉Ｂ２の貸し出し単価を２円とし、遊技玉Ｂ１の景品交換レートを２円、遊技玉Ｂ２の景品交換レートを１円とする。
本実施形態のパチンコ遊技場１０では、上記（２）の設定パターンを採用するものとし、その詳細は後述する。尚、遊技玉Ｂの種類は、上記に示した２種類に限定されるものではなく、価値が異なる３種類以上の遊技玉Ｂを使用してもよい。
【００１７】
また、複数種類の遊技玉Ｂは、以下に示すような方法で種類分けされ、その種類が所定の識別センサを用いて識別される。
（１）複数種類の遊技玉Ｂに異なる色を施す。
例えば、遊技玉Ｂ１の色を銀、遊技玉Ｂ２の色を金、遊技玉Ｂ３の色を黒とする。識別センサとしては、光の反射率に基づいて色を検出する反射型の光学センサ等を用いる。
（２）複数種類の遊技玉Ｂに異なる模様を施す。
例えば、遊技玉Ｂ１の模様を水玉、遊技玉Ｂ２の模様をチェックとする。識別センサとしては、反射型の光学センサやＣＣＤ等の画像センサを用い、その検出信号に基づいて模様を認識する。
（３）複数種類の遊技玉Ｂに異なる刻印を施す。
例えば、遊技玉Ｂ１の刻印を１本線、遊技玉Ｂ２の刻印を２本線とする。識別センサとしては、反射型の光学センサやＣＣＤ等の画像センサを用い、その検出信号に基づいて刻印を認識する。
（４）複数種類の遊技玉Ｂに異なる材質のコーティング（メッキを含む）を施す。
例えば、遊技玉Ｂ１の表面をチタンコーティング、遊技玉Ｂ２の表面を金メッキとする。識別センサとしては、光の反射率に基づいて表面の材質を検出する反射型の光学センサ、渦電流損や透磁率に基づいて表面の材質を検出する磁気センサ、抵抗値に基づいて表面の材質を検出する通電センサ等を用いる。
（５）複数種類の遊技玉Ｂに発信周波数または発信信号パターンが異なる識別チップを埋め込む。
識別チップは、電磁誘導によって自己発電し、所定の信号を発信する非接触タイプのもので、例えば、遊技玉Ｂ１にＡ信号を発信する識別チップ、遊技玉Ｂ２にＢ信号を発信する識別チップを埋め込む。識別センサとしては、電磁誘導のための磁界を発生させ、且つ、識別チップの発信信号を受信可能な非接触通信モジュール等を用いる。
【００１８】
本実施形態のパチンコ遊技場１０では、上記（１）の方法によって遊技玉Ｂの種類分けおよび識別を行うものとし、遊技玉Ｂの色は金（景品交換レート４円）と銀（景品交換レート２円）の２色とする。
【００１９】
図３は、パチンコ島の玉経路を示す斜視図である。この図に示されるように、パチンコ島１１の内部には、遊技玉補給経路１６、遊技玉回収経路１７、遊技玉還元機１８および遊技玉分別機１９が設けられる。遊技玉補給経路１６は、所定の勾配を有する樋であり、パチンコ遊技機１４の上方に沿って配置される。遊技玉補給経路１６の始端部に還元された遊技玉Ｂは、遊技玉補給経路１６の勾配に沿って転がり、各パチンコ遊技機１４に供給される。前述の如く２種類の遊技玉Ｂを使用する本実施形態では、各種類の遊技玉Ｂを分別状態で各パチンコ遊技機１４に補給するために、２本の遊技玉補給経路１６Ａ、１６Ｂが並設される。遊技玉回収経路１７は、所定の勾配を有する樋（ドブ）であり、パチンコ遊技機１４の下方に沿って配置される。各パチンコ遊技機１４から排出される遊技玉Ｂは、遊技玉回収経路１７上に落下する。このとき２種類の遊技玉Ｂは混在しており、この状態で遊技玉回収経路１７の勾配に沿って転がり、遊技玉還元機１８の下端部に集められる。遊技玉還元機１８は、その内部に揚上搬送体を内装しており、下端部に集められた遊技玉Ｂが揚上搬送体の駆動に伴って上端部まで揚上搬送される。遊技玉分別機１９は、遊技玉還元機１８の上端部まで揚上搬送された遊技玉Ｂの種類を識別する識別センサ（図示せず）と、該識別センサの識別結果に応じて２種類の遊技玉Ｂを分別する分別機構（図示せず）とを内装しており、分別された２種類の遊技玉Ｂは、それぞれ遊技玉補給経路１６Ａ、１６Ｂの始端部に排出される。これにより、パチンコ島１１内に、２種類の遊技玉Ｂを分別する機能を有した遊技玉循環経路が構成される。尚、上記遊技玉分別機１９は、遊技玉循環経路中であれば任意の位置に設けることが可能であり、例えば、各パチンコ遊技機１４の遊技玉補給口、遊技玉排出口、遊技玉還元機１８の始端部等に設けてもよい。
【００２０】
図４は、パチンコ遊技機の正面図、図５は、パチンコ遊技機の背面図、図６は、パチンコ遊技機の平面図、図７は、遊技盤の正面図である。これらの図に示されるように、パチンコ遊技機１４は、遊技玉補給経路１６Ａ、１６Ｂから補給される遊技玉Ｂを貯溜する遊技玉タンク２０と、該遊技玉タンク２０から遊技玉Ｂを払い出す玉払い出し装置（玉払い出し手段）２１と、該玉払い出し装置２１が払い出した遊技玉Ｂを貯溜する上皿（受け皿）２２と、該上皿２２から送り込まれる遊技玉Ｂを発射する発射装置２３と、発射された遊技玉Ｂの入賞、外れを決定する遊技盤２４と、上記上皿２２からオーバーフローした遊技玉Ｂを貯溜する下皿２５と、上記上皿２２から遊技玉Ｂを抜き取って下皿２５に貯溜するための玉抜き操作ボタン２６と、上記上皿２２の近傍に設けられる玉貸し出し操作部２７と、上記各部の動作を制御する制御ユニット２８とを備えて構成される。以下、パチンコ遊技機１４の基本動作を順次説明する。
【００２１】
（１）玉貸し出し動作
玉貸し出し操作部２７には、プリペイドカードの残り度数を表示する残り度数表示部２７ａと、遊技玉Ｂの貸し出し操作を行う貸し出し操作ボタン２７ｂと、プリペイドカードの返却操作を行う返却操作ボタン２７ｃとが設けられる。遊技客がプリペイドカードユニット１５にプリペイドカードを挿入すると、プリペイドカードの残り度数が残り度数表示部２７ａに表示され、この状態で貸し出し操作ボタン２７ｂを操作することにより、貸し出し金額に応じた個数の遊技玉Ｂが玉払い出し装置２１によって貸し出される。また、返却操作ボタン２７ｃが操作された場合には、残り度数に拘わらずプリペイドカードがプリペイドカードユニット１５から返却される。
【００２２】
（２）玉発射動作
上皿２２に貯溜された遊技玉Ｂは自動的に発射装置２３に送り込まれる。この状態でハンドル２３ａを回し操作すると、発射装置２３が動作し、遊技玉Ｂが遊技盤２４に向けて発射される。その発射力は、ハンドル２３ａの回し操作量に応じて調節される。
【００２３】
（３）玉払い出し動作
発射された遊技玉Ｂが遊技盤２４の入賞口２４ａまたは大入賞口２４ｂに入賞した場合は、玉払い出し装置２１によって遊技玉Ｂが払い出される。遊技玉Ｂの払い出し個数は、入賞時の払い出し個数（例えば５個：遊技条件１）に比べ、大入賞時の払い出し個数（例えば１５個：遊技条件２）の方が多くなるように設定される。
【００２４】
（４）大当たり抽選動作
発射された遊技玉Ｂが遊技盤２４の始動口２４ｃ入賞した場合は、遊技盤２４の特別図柄表示部２４ｄに表示される特別図柄が変動し、大当たり抽選が行われる。例えば変動した３つの特別図柄が停止時に揃ったとき、大当たりとなる。この大当たり抽選は、予め設定される大当たり確率（例えば１／３００：遊技条件３）に基づいて行われる。
【００２５】
（５）大入賞口動作
大当たりした場合は、大入賞口２４ｂが所定時間に亘って開放動作される。開放中に所定個数（例えば１０個）の遊技玉Ｂが入賞した場合は、時間内であっても大入賞口２４ｂが閉じられる。この開放動作は、１回の大当たりにつき、所定回数（例えば１５回）に行われる。
【００２６】
（６）確率変動抽選
大当たりした場合は、特別図柄表示部２４ｄにおいて確率変動抽選が行われる。この確率変動抽選は、予め設定される当り確率（例えば１／２：遊技条件４）に基づいて行われる。この抽選に当たった場合は、前記大当たり動作終了後、次回の大当たりまで、大当たり確率が高確率（例えば１／５０）となる。
【００２７】
次に、本発明特有の構成を順次説明する。図４に示されるように、上皿２２の近傍には、遊技玉Ｂの価値を変更するための玉価値切り換え操作部（玉価値切り換え手段）２９が設けられる。玉価値切り換え操作部２９は、玉価値切り換えボタン２９ａと、玉価値表示部２９ｂとを備えており、玉価値切り換えボタン２９ａの操作に応じて遊技に使用する遊技玉Ｂの種類（玉価値）が切換り、その種類（玉価値）が玉価値表示部２９ｂに表示される。例えば、玉価値表示部２９ｂに「金色」または「４円」と表示された状態では、金色の遊技玉Ｂ（景品交換レート４円）を用いた遊技が可能であり、玉払い出し装置２１が金色の遊技玉Ｂを払い出すように動作される。一方、玉価値切り換えボタン２９ａを操作し、玉価値表示部２９ｂの表示が「銀色」または「２円」に切換わった状態では、銀色の遊技玉Ｂ（景品交換レート２円）を用いた遊技が可能であり、玉払い出し装置２１が銀色の遊技玉Ｂを払い出すように動作される。これにより、同じパチンコ遊技機１４で玉価値を任意に切り換え、玉価値が異なる２種類の遊技玉Ｂを用いて遊技を行うことが可能になる。尚、本実施形態では、玉価値の切り換えを遊技客が行うが、遊技場管理者（店員）が玉価値の切り換えを行うようにしてもよい。
【００２８】
図６に示されるように、本実施形態のパチンコ遊技機１４は、２種類の遊技玉Ｂを分別状に貯溜するために２つの遊技玉タンク２０Ａ、２０Ｂを備える。第１の遊技玉タンク２０Ａには、遊技玉補給経路１６Ａから補給される金色の遊技玉Ｂが貯溜され、第２の遊技玉タンク２０Ｂには、遊技玉補給経路１６Ｂから補給される銀色の遊技玉Ｂが貯溜される。玉払い出し装置２１は、玉価値切り換え操作部２９における玉価値の切り換えに応じて、払い出しに用いる遊技玉タンク２０Ａ、２０Ｂを切り換えるように構成される。
【００２９】
制御ユニット２８においては、玉価値切り換え操作部２９における玉価値の切り換えに応じて、前述した遊技条件１〜４を変更する処理が行われる。例えば、玉価値が高い金色の遊技玉Ｂで遊技を行う場合は、大当たり確率を下げたり、入賞時の払い出し玉数を減らすことにより出玉率を下げ、一方、玉価値が低い銀色の遊技玉Ｂで遊技を行う場合は、大当たり確率を上げたり、入賞時の払い出し玉数を増やすことにより出玉率を上げる等の出玉調整が自動的に行われる。
【００３０】
図８の（Ａ）は、遊技状態（保留玉無し）を示す上皿部分の断面図、（Ｂ）は、残り玉保留動作を示す上皿部分の断面図、（Ｃ）は、遊技状態（保留玉有り）を示す上皿部分の断面図である。これらの図に示されるように、上皿２２の底部には、残り玉保留部３０が重合状に形成される。上皿２２と残り玉保留部３０は、右下がり状に傾斜する仕切り板３１で仕切られる。玉払い出し装置２１が払い出す遊技玉Ｂは、払い出し口３２から仕切り板３１上に払い出され、該仕切り板３１の傾斜に沿って右端部の発射玉供給口３３に導かれる。仕切り板３１は、その右端部を支点として上下回動自在に支持されると共に、図示しない付勢手段によって上方に付勢される。さらに仕切り板３１には、ストッパを兼ねる保留操作レバー３４が一体的に突設される。保留操作レバー３４は、上皿２２に上下方向を向いて形成される長孔２２ａを貫通しており、該長孔２２ａの範囲で仕切り板３１の上下回動が許容される。上皿２２の前面から突出する保留操作レバー３４を、前記付勢手段の付勢力に抗して下方に操作すると、仕切り板３１が下方に回動して左下がり状に傾斜する。この状態では、図８の（Ｂ）に示されるように、仕切り板３１上の遊技玉Ｂが左側に導かれると共に、上皿２２の内側部に形成される残り玉保留経路２２ｂを通り、残り玉保留部３０に導かれる。つまり、玉価値切換え時（例えば金→銀）に仕切り板３１上に残り玉Ｂ（金）がある場合は、上記保留操作レバー３４を操作するだけで、残り玉Ｂ（金）を残り玉保留部３０に保留することが可能になる。その後は、図８の（Ｃ）に示されるように、残り玉Ｂ（金）を残り玉保留部３０に保留したままの状態で、価値の異なる遊技玉Ｂ（銀）を用いて遊技が継続される。また、本実施形態の仕切り板３１は、透明もしくは半透明の樹脂板で形成されている。従って、残り玉保留部３０が上皿２２の下方に重合状に形成されていても、残り玉保留部３０における残り玉Ｂの有無を容易に確認することが可能になる。
【００３１】
図９は、パチンコ遊技機における遊技玉の経路を示すブロック図である。この図に示されるように、パチンコ遊技機１４には、残り玉保留部３０に保留される残り玉Ｂを発射装置２３に供給する残り玉供給経路３５が形成される。残り玉供給経路３５には、この経路を開閉する供給経路開閉機構（供給経路開閉手段）３６が設けられ、所定の条件を満たすとき、手動もしくは自動による開動作が許容される。例えば、上皿２２の遊技玉Ｂを全て使い、その後、玉価値切り換え操作部２９において残り玉Ｂの玉価値を選択することにより、供給経路開閉機構３６が自動的に開動作し、残り玉Ｂによる遊技が可能になる。さらに、パチンコ遊技機１４には、図９に示されるように、残り玉保留部３０に保留される残り玉Ｂを下皿２５に排出する残り玉排出経路３７が形成される。残り玉排出経路３７には、この経路を開閉する排出経路開閉機構（排出経路開閉手段）３８が設けられており、例えば手動操作で排出経路開閉機構３８を開動作させることにより、残り玉保留部３０の残り玉Ｂが下皿２５に排出される。
【００３２】
以上の如く本実施形態によれば、遊技玉Ｂを遊技盤２４に向けて発射し、該遊技盤２４における遊技玉Ｂの入賞に応じて所定数の遊技玉を払い出すパチンコ遊技機１４において、遊技に用いる遊技玉Ｂの価値を切り換える玉価値切り換え操作部２９と、玉価値の切り換えに応じて、払い出す遊技玉Ｂの種類を切り換える玉払い出し装置２１と、払い出した遊技玉Ｂを貯溜し、該遊技玉Ｂを発射装置２３に供給する上皿２２と、前記玉価値を切り換えるとき、上皿２２上の残り玉Ｂを保留する残り玉保留部３０とを備えて構成される。これにより、玉価値の切り換えに際し、異なる価値の遊技玉Ｂが混ざることを防止できる許りでなく、残り玉Ｂを保持したまま遊技を継続することができる。
【００３３】
また、前記残り玉保留部３０は、上皿２２の下方に重合状に形成されるため、上皿２２から残り玉保留部３０に至る残り玉保留経路２２ｂを短くして構造の簡略化を図れる許りでなく、配置効率を高めてパチンコ遊技機１４の大型化を回避することができる。
【００３４】
また、前記上皿２２と残り玉保留部３０とを仕切る仕切り板３１が透明であるため、残り玉保留部３０を上皿２２の下方に重合状に形成しても、残り玉保留部３０における残り玉Ｂの有無を容易に確認することができる。
【００３５】
また、前記上皿２２から残り玉保留部３０に至る残り玉保留経路２２ｂと、該残り玉保留経路２２ｂを開閉する保留経路開閉手段（仕切り板３１）とを備えるため、保留経路開閉手段を操作するだけで、上皿２２の残り玉Ｂを残り玉保留部３０に保留することができる。
【００３６】
また、前記保留経路開閉手段は、上皿２２と残り玉保留部３０とを仕切る仕切り板３１であり、該仕切り板３１の回動に応じて残り玉保留経路２２ｂが開閉されるため、部品点数の削減および構造の簡略化を図ることができる。
【００３７】
また、前記残り玉保留部３０に保留される残り玉Ｂを下皿２５に排出する残り玉排出経路３７と、該残り玉排出経路３７を開閉する排出経路開閉機構３８とを備えるため、排出経路開閉機構３８を操作するだけで、残り玉保留部３０の残り玉Ｂを下皿２５に排出することができる。
【００３８】
また、前記残り玉保留部３０に保留される残り玉Ｂを発射装置２３に供給する残り玉供給経路３５と、該残り玉供給経路３５を開閉する供給経路開閉機構３６とを備えるため、残り玉供給経路３５を開くことにより、残り玉保留部３０の残り玉Ｂで遊技を行うことができる。
【００３９】
以上、本発明の一実施形態を図面に沿って説明した。しかしながら本発明は前記実施形態に示した事項に限定されず、特許請求の範囲の記載に基いてその変更、改良等が可能であることは明らかである。例えば、上皿と残り玉保留部とを仕切る仕切り部を固定部材で構成し、該固定部材に形成した開閉口を介して残り玉を残り玉保留部に導くようにしてもよい。
【００４０】
【発明の効果】
以上の如く本発明によれば、パチンコ遊技機単位で玉価値の切り換えを可能にすると共に、玉価値の切り換えに応じて、払い出す遊技玉の種類を切り換えるものでありながら、玉価値の切り換えに際し、異なる価値の遊技玉が混ざることを防止できる許りでなく、残り玉を保持したまま遊技を継続することができる。
【図面の簡単な説明】
【図１】パチンコ遊技場の部分平面図である。
【図２】パチンコ島の部分正面図である。
【図３】パチンコ島の玉経路を示す斜視図である。
【図４】パチンコ遊技機の正面図である。
【図５】パチンコ遊技機の背面図である。
【図６】パチンコ遊技機の平面図である。
【図７】遊技盤の正面図である。
【図８】（Ａ）は、遊技状態（保留玉無し）を示す上皿部分の断面図、（Ｂ）は、残り玉保留動作を示す上皿部分の断面図、（Ｃ）は、遊技状態（保留玉有り）を示す上皿部分の断面図である。
【図９】パチンコ遊技機における遊技玉の経路を示すブロック図である。
【符号の説明】
Ｂ  遊技玉
１４  パチンコ遊技機
２１  玉払い出し装置
２２  上皿
２２ｂ  残り玉保留経路
２３  発射装置
２４  遊技盤
２５  下皿
２９  玉価値切り換え操作部
３０  残り玉保留部
３１  仕切り板
３４  保留操作レバー
３５  残り玉供給経路
３６  供給経路開閉機構
３７  残り玉排出経路
３８  排出経路開閉機構
【図１】
0004210452.tif 000002
【図２】
0004210452.tif 000003
【図３】
0004210452.tif 000004
【図４】
0004210452.tif 000005
【図５】
0004210452.tif 000006
【図６】
0004210452.tif 000007
【図７】
0004210452.tif 000008
【図８】
0004210452.tif 000009
【図９】
0004210452.tif 000010